(57)【要約】      （修正有）【課題】カードセット部からのＩＣカードの取出し操作を簡単に行うことができるカード取り扱い装置を提供する。【解決手段】ＩＣカードを載置する傾斜したセット面２と、このセット面２の左右両側辺部に突出形成されたガイド３ａ及び３ｂと、セット面２の手前側の左右のコーナ部（角部）に突出形成されたガイド３ｃ及び３ｄと、セット面２の奥側に設けられた凹部４を有するカードセット部１を備え、カードセット部１からＩＣカードを取り出す場合、指先を凹部４に上方から差し入れ、指先をＩＣカードの奥側の縁部に引っかけてそのまま指先を上方に引き上げることでＩＣカードを引き起こすことができる。【選択図】図１
2013084065.tif 000002
【特許請求の範囲】
【請求項１】
カードを載置するセット面と、このセット面の左右両側辺部に突出形成された第１のガイドと、前記セット面の手前側の左右のコーナ部に突出形成された第２のガイドと、前記セット面の奥側に設けられた凹部を有するカードセット部を備え、
前記凹部は、前記セット面に載置されてセットされているカードを取り出すとき、指を前記カードの縁部に触れることが可能な大きさに形成されていることを特徴とするカード取扱い装置。
【請求項２】
請求項１に記載のカード取扱い装置において、
前記セット面は、手前側が低く奥側が高い傾斜面としたことを特徴とするカード取扱い装置。
【請求項３】
請求項１または請求項２に記載のカード取扱い装置において、
前記第２のガイドは前記第１のガイドより高く形成されていることを特徴とするカード取扱い装置。
【請求項４】
請求項１〜請求項３のいずれか１項に記載のカード取扱い装置において、
左右のコーナ部に突出形成された第２のガイド間は解放されていることを特徴とするカード取扱い装置。
【請求項５】
請求項１〜請求項４のいずれか１項に記載のカード取扱い装置において、
前記セット面の手前側に凹部を設け、該凹部は、前記セット面に載置されてセットされているカードを取り出すとき、指を前記カードの縁部に触れることが可能な大きさに形成されていることを特徴とするカード取扱い装置。
【請求項６】
請求項１〜請求項５のいずれか１項に記載のカード取扱い装置において、
前記セット面の下側に、前記セット面にセットされているカードに対して、データの読取り処理と書込み処理の少なくとも一方の処理を行うデータ処理部を設けたことを特徴とするカード取扱い装置。
【発明の詳細な説明】
【技術分野】
【０００１】
本発明は、ＩＣカードに対して非接触でデータの読取り、書込みを行うカード取扱い装置に関するものである。
【背景技術】
【０００２】
従来のこの種のカード取扱い装置として、例えば、特許文献１に開示されたものがある。このカード取扱い装置は、カードセット部の周囲四辺のうちの三辺にガイドを設け、ＩＣカードに対してデータの読取り、書込みを行う場合、ガイド内にＩＣカードをガイド内に収まるようにカードセット部にセットし、データの読取り、書込み後はガイドが設けられていない開放された一辺を利用してＩＣカードをカードセット部から取出すものとなっている。
【先行技術文献】
【特許文献】
【０００３】
【特許文献１】特開平０７−００６２１８号公報
【発明の概要】
【発明が解決しようとする課題】
【０００４】
しかしながら、上述した従来の技術においては、カードセット部の周囲四辺のうちの三辺にガイドを設けて単に囲った構造であるため、カードセット部にセットされているＩＣカードを取出す際、爪先をカードに引っ掛けて引き起こさなければならず、そのためＩＣカードの取出し操作を行いにくいという問題がある。
本発明は、このような問題を解決することを課題とする。
【課題を解決するための手段】
【０００５】
そのため、本発明のカード取扱い装置は、カードを載置するセット面と、このセット面の左右両側辺部に突出形成された第１のガイドと、前記セット面の手前側の左右のコーナ部に突出形成された第２のガイドと、前記セット面の奥側に設けられた凹部を有するカードセット部を備え、前記凹部は、前記セット面に載置されてセットされているカードを取り出すとき、指を前記カードの縁部に触れることが可能な大きさに形成されていることを特徴とする。
【発明の効果】
【０００６】
このようにした本発明は、カードセット部からカードを取り出す場合、指先を凹部に上方から差し入れ、指先の腹をカードの奥側の縁部に引っかけて、そのまま指先を上方に引き上げると、ＩＣカード１０をセット面２から容易に引き起こすことができるので、ＩＣカードの取出し操作を簡単に行うことができるという効果が得られる。
【図面の簡単な説明】
【０００７】
【図１】第１の実施例を示す斜視図
【図２】第１の実施例を示側断面図
【図３】第１の実施例が装備される装置の要部斜視図
【図４】第１の実施例の作用を示す斜視図
【図５】第１の実施例の作用を示す斜視図
【図６】第１の実施例の作用を示す斜視図
【図７】第１の実施例の作用を示す斜視図
【図８】第１の実施例の作用を示す斜視図
【図９】第２の実施例を示す斜視図
【図１０】第３の実施例を示す斜視図
【発明を実施するための形態】
【０００８】
以下、図面を参照して本発明によるカード取扱い装置の実施例を説明する。
【実施例１】
【０００９】
図１は第１の実施例を示す斜視図、図２は第１の実施例を示側断面図である。図３は第１の実施例が装備される装置の要部斜視図で、ここでは現金処理機に装備された例を示している。
本実施例のカード取扱い装置は、図３に示すカードセット部１と、このカードセット部１にセットされるＩＣカード１０（図２参照）に対して非接触でデータの読取り処理や書込み処理の少なくとも一方の処理を行う図示しない非接触ＩＣカードリーダまたはライタまたはリーダライタ等のデータ処理部を備えており、カードセット部１は現金処理機１１の正面上部に形成された傾斜面１２に設けられ、このカードセット部１の真下に位置するように前記データ処理部が現金処理機１１の筐体内に実装されている。
【００１０】
カードセット部１は、図１に示したようにＩＣカード１０を載置するセット面２と、このセット面２の左右両側辺部に突出形成されたガイド（第１のガイド）３ａ及び３ｂと、この両側辺部のガイド３ａ、３ｂから手前側の辺部にかかる左右のコーナ部（角部）に突出形成された（第２のガイド）ガイド３ｃ及び３ｄと、セット面２の奥側の辺部中央に設けられた凹部４によって構成されており、セット面２は、図２及び図３に示したように現金処理機１１の正面に形成された斜面１２と同様に手前側が低く奥側が高い傾斜した平面となるように形成されている。
【００１１】
また、セット面２の両側辺部のガイド３ａ、３ｂはほぼ平行に設けられ、コーナ部のガイド３ｃ、３ｄはそれぞれＬ字形で両側辺部のガイド３ａ、３ｂより高さが高く形成されていて、コーナ部のガイド３ｃ、３ｄ間は開放されている。
このようにすることによりＩＣカード１０が傾斜面であるセット面２に載置されたとき、ガイド３ａ〜３ｄによりＩＣカード１０が滑り落ちないようにしている。
【００１２】
尚、ガイド３ａとガイド３ｃ、ガイド３ｂとガイド３ｄは一体に形成されているが、ガイド３ａとガイド３ｃ、ガイド３ｂとガイド３ｄはそれぞれ切り離されていてもよく、要はガイド３ａ〜３ｄの役目はＩＣカード１０のセット位置が分かることと、セット面２からＩＣカード１０が滑り落ちないようにするためのものなので、必要最小限の大きさでよい。
【００１３】
ここで、ガイド３ａ、３ｂ間の長さつまりセット面２の幅Ｗ１（図１参照）は、ＩＣカード１０の長手方向の長さよりも大きく、ガイド３ｃ、３ｄの水平部とセット面２の奥側の辺部間の長さつまりセット面２の奥行きＤ（図２参照）は、ＩＣカード１０の短手方向の長さよりも大きくなって、これによりセット面２はＩＣカード１０の大きさよりも１回り大きいエリアとなるように設定されている。
【００１４】
また、セット面２の奥側の辺部内側の中央に設けられた凹部４の幅Ｗ２（図１参照）は、大人の指（特に人差し指）が余裕を持って入る幅とし、凹部４の深さＨ（図２参照）は、セット面２に載置されたＩＣカード１０に対して大人の指（特に人差し指）の腹が当る程度の深さとする。このような大きさに形成することで指先を凹部４に入れたとき、セット面２に載置されたＩＣカード１０の縁部に指先を触れることが可能にしている。
【００１５】
上述した構成の作用について説明する。図４〜図８は第１の実施例の作用を示す斜視図である。まず、ＩＣカード１０をカードセット部１にセットする場合、図４に示したように例えば親指と人差し指でＩＣカード１０の手前側（下辺側）中央付近を挟むように持ち、ＩＣカード１０をカードセット部１のセット面２に置いてセットする。その際セット面２の手前側にあるコーナ部のガイド３ｃ、３ｄ間は開放されているので、ＩＣカード１０の下面側にある人差し指はガイド３ｃ、３ｄに当たることがなく、ＩＣカード１０をカードセット部１のセット面２にスムーズに載置することができる。
【００１６】
このようにしてカードセット部１にセットされたＩＣカード１０はガイド３ａと３ｂにより横方向への移動（横ずれ）が規制され、図２に示したようにガイド３ｃと３ｄによりＩＣカード１０が傾斜面であるセット面２から滑り落ちないように保持される。
この状態でＩＣカード１０に対して図示しない非接触ＩＣカードリーダライタによりデータの読取りや書込み処理が行われる。
【００１７】
処理終了後、カードセット部１からＩＣカード１０を取り出す場合、図５に示したように例えば人差し指の指先を、セット面２の奥側の辺部中央に設けられた凹部４に上方から差し入れる。これにより指先の腹がＩＣカード１０の奥側（上部側）の縁部に引っかかるので、そのまま指先を上方に引き上げることで、図６に示したようＩＣカード１０をセット面２から容易に引き起こすことができ、あとは親指と人差し指でＩＣカード１０の上部中央付近を挟むように持ち、ＩＣカード１０を持ち上げることでカードセット部１からＩＣカード１０を取り出す。
【００１８】
尚、カードセット部１からＩＣカード１０を取り出すとき等に、誤って指先でＩＣカード１０を上から押してしまうことがある。例えば、図７に示したようにＩＣカード１０の奥側の中央付近を指先で押してしまったり、図８に示したようにＩＣカード１０の奥側の右寄りの部分（左寄りの部分）を指先で押してしまうことがある。
【００１９】
図７に示したようにＩＣカード１０の奥側中付近を指先で押してしまった場合、その位置のＩＣカード１０の下側には凹部４があって、その凹部４による隙間が存在しているが、ＩＣカード１０の下面は凹部４以外の部分がセット面２に接して支えられているため、ＩＣカード１０の手前側が浮き上がることがなく、そのためＩＣカード１０がカードセット部１から外れて脱落するのを防止することができる。
【００２０】
また、図８に示したようにＩＣカード１０の奥側の右寄りの部分（左寄りの部分）を指先で押してしまっても、ＩＣカード１０の下面は凹部４以外の部分がセット面２に押し付けられるだけで、ＩＣカード１０の手前側が浮き上がることがなく、図７の場合と同様にＩＣカード１０がカードセット部１から外れて脱落するのを防止することができる。
【００２１】
以上説明したように第１の実施例では、カードセット部１を、ＩＣカード１０を載置する傾斜したセット面２と、このセット面２の左右両側辺部に突出形成されたガイド３ａ及び３ｂと、セット面２手前側のコーナ部（角部）に突出形成されたＬ字形のガイド３ｃ及び３ｄと、セット面２の奥側の辺部中央に設けられた凹部４からなる構成としているため、ＩＣカード１０が傾斜面であるセット面２に載置されたとき、ガイド３ａ〜３ｄによりＩＣカード１０が滑り落ちることがなく、また、カードセット部１からＩＣカード１０を取り出す場合、指先を凹部４に上方から差し入れ、指先の腹がＩＣカード１０の奥側（上部側）の縁部に引っかけて、そのまま指先を上方に引き上げると、ＩＣカード１０をセット面２から容易に引き起こすことができるので、ＩＣカードの取出し操作を簡単に行うことができるという効果が得られる。
【００２２】
また、カードセット部１からＩＣカード１０を取り出すとき等に、指先でＩＣカード１０の奥側中付近や、右寄りあるいは左寄りの部分を押してしまっても、ＩＣカード１０の下面は凹部４以外の部分がセット面２に接して支えられているため、ＩＣカード１０の手前側が浮き上がることがなく、ＩＣカード１０がカードセット部１から外れて脱落するのを防止できるという効果も得られる。
【実施例２】
【００２３】
図９は第２の実施例を示す斜視図で、この実施例はカードセット部１におけるセット面２手前側の辺部の中央つまりコーナ部のガイド３ｃ、３ｄ間にもう１つの凹部５を設けたものである。この他の構成は第１の実施例と同様であるので、同一の部分は同一の符号を付してその説明を省略する。
【００２４】
このような構成を有する第２の実施例では、ＩＣカード１０をカードセット部１にセットする場合、例えば親指をＩＣカード１０の手前側（下辺側）の縁部にあてがい、人差し指をＩＣカード１０の奥側（上辺側）の縁部にあてがうようにして、親指と人差し指でＩＣカード１０を挟んで持ち、ＩＣカード１０をカードセット部１のセット面２に置いてセットする。その際、人差し指の指先をセット面２の奥側の辺部中央に設けられた凹部４に、また親指の指先をセット面２手前側の辺部の中央に設けられた凹部５に差し入れることによりＩＣカード１０をカードセット部１のセット面２にスムーズに載置することができる。
【００２５】
このようにしてカードセット部１にセットされたＩＣカード１０はガイド３ａと３ｂにより横方向への移動（横ずれ）が規制され、図２に示したようにガイド３ｃと３ｄによりＩＣカード１０が傾斜面であるセット面２から滑り落ちないように保持される。
この状態でＩＣカード１０に対して図示しない非接触ＩＣカードリーダライタによりデータの読取りや書込み処理が行われる。
【００２６】
処理終了後、カードセット部１からＩＣカード１０を取り出す場合、人差し指の指先をセット面２の奥側の辺部中央に設けられた凹部４に、また親指の指先をセット面２手前側の辺部の中央に設けられた凹部５に差し入れる。これにより人差し指と親指のそれぞれの指先の腹がＩＣカード１０の奥側（上辺側）と手前側（下辺側）の縁部に引っかかるので、人差し指と親指のそれぞれの指先でＩＣカード１０を挟み付け、そのまま上方に持ち上げることで、カードセット部１からＩＣカード１０を取り出す。
【００２７】
尚、この実施例でも、カードセット部１からＩＣカード１０を取り出すとき等に、誤って指先でＩＣカード１０を上から押してしまうことが考えられるが、第１の実施例と同様の理由で、ＩＣカード１０がカードセット部１から外れて脱落するのを防止することができる。
【００２８】
以上説明したように第２の実施例では、第１の実施例の構成に加えて、セット面２手前側の辺部の中央にもう１つの凹部５を設けた構成としているため、ＩＣカード１０が傾斜面であるセット面２に載置されたとき、第１の実施例と同様にガイド３ａ〜３ｄによりＩＣカード１０が滑り落ちるのを防止することができ、また、カードセット部１からＩＣカード１０を取り出す場合は、人差し指の指先をセット面２の奥側の辺部中央に設けられた凹部４に、また親指の指先をセット面２手前側の辺部の中央に設けられた凹部５に差し入れる。これにより人差し指と親指のそれぞれの指先の腹がＩＣカード１０の奥側（上辺側）と手前側（下辺側）の縁部に引っかかるので、人差し指と親指のそれぞれの指先でＩＣカード１０を挟み付け、そのまま上方に持ち上げることで、カードセット部１からＩＣカード１０を取り出すことができるので、ＩＣカードの取出し操作をより簡単に行うことができるという効果が得られる。
【００２９】
また、この第２の実施例でも、カードセット部１からＩＣカード１０を取り出すとき等に、指先でＩＣカード１０の奥側中央付近や、右寄りあるいは左寄りの部分を押してしまっても、ＩＣカード１０の下面は凹部４以外の部分がセット面２に接して支えられているため、ＩＣカード１０の手前側が浮き上がることがなく、ＩＣカード１０がカードセット部１から外れて脱落するのを防止できるという効果が得られる。
【実施例３】
【００３０】
図１０は第３の実施例を示す斜視図で、この実施例はカードセット部１を縦としたもので、この他の構成は第１の実施例と同様であるので、同一の部分は同一の符号を付してその説明を省略する。
このような構成を有する第３の実施例は、ＩＣカード１０の向きを、縦方向つまりＩＣカード１０の長手方向を前後方向として、カードセット部１へのＩＣカード１０のセットと、カードセット部１からＩＣカード１０の取り出しを行うもので、その他は第１の実施例と同様である。
【００３１】
以上説明した第３の実施例において、第１の実施例と同様の効果が得られる。また、第３の実施例において、第２の実施例と同様にセット面２手前側の辺部の中央にもう１つの凹部５を設けることで、第２の実施例と同様の作用、効果が得られる。
尚、上述した各実施例では、現金処理機１１に適用する場合を例にして説明したが、カードをカードセット部に載置してセットする装置であれば適用可能である。
【符号の説明】
【００３２】
１    カードセット部
２    セット面
３ａ  ガイド
３ｂ  ガイド
３ｃ  ガイド
３ｄ  ガイド
４    凹部
５    凹部
１０  ＩＣカード
１１  現金処理機
【図１】
2013084065.tif 000003
【図２】
2013084065.tif 000004
【図３】
2013084065.tif 000005
【図４】
2013084065.tif 000006
【図５】
2013084065.tif 000007
【図６】
2013084065.tif 000008
【図７】
2013084065.tif 000009
【図８】
2013084065.tif 000010
【図９】
2013084065.tif 000011
【図１０】
2013084065.tif 000012